(57)【要約】      （修正有）【課題】後方互換性を提供しながらもＳＮＲの広範囲で動作可能となるＮＢ−ＩｏＴ機器用の同期信号を送受信する方法、無線ネットワークノード、無線通信装置、プログラム及びキャリアを提供する。【解決手段】無線ネットワークノード（１０）は、狭帯域プライマリ同期信号（ＮＢ−ＰＳＳ）１４が送信される各フレーム内の、同一の１つまたは複数のサブフレームへ狭帯域セカンダリ同期信号（ＮＢ−ＳＳＳ）１６をマッピングするとともに、ＮＢ−ＰＳＳが送信される少なくとも１個のフレームを含み、ＮＢ−ＳＳＳが送信される各フレーム内の、同一の１つまたは複数のサブフレームへＮＢ−ＳＳＳをマッピングする。ＮＢ−ＳＳＳのマッピングは、ＮＢ−ＰＳＳがデマッピングされる１つまたは複数のサブフレームとは異なる１つまたは複数のサブフレームに対して行われる。【選択図】図１
2020036325.tif 000002
【特許請求の範囲】
【請求項１】
狭帯域プライマリ同期信号（ＮＢ−ＰＳＳ）と、狭帯域セカンダリ同期信号（ＮＢ−ＳＳＳ）とを、複数フレームを含む同期信号区間内で送信するための無線ネットワークノード（１０）によって実施される方法であって、
前記ＮＢ−ＰＳＳが送信される各フレーム内の、同一の１つまたは複数のサブフレームに前記ＮＢ−ＰＳＳをマッピングすること（１１０）と、
前記ＮＢ−ＰＳＳがマッピングされる前記１つまたは複数のサブフレームとは異なる１つまたは複数のサブフレームへ前記ＮＢ−ＳＳＳをマッピングすることで、前記ＮＢ−ＰＳＳが送信される少なくとも１個のフレームを含む、前記ＮＢ−ＳＳＳが送信される各フレーム内の、同一の１つまたは複数のサブフレームに前記ＮＢ−ＳＳＳをマッピングすること（１２０）と、
前記ＮＢ−ＰＳＳが送信されるフレーム１個おきに、前記ＮＢ−ＳＳＳを送信することを含む、前記マッピングにしたがって前記同期信号区間内で前記ＮＢ−ＰＳＳおよび前記ＮＢ−ＳＳＳを送信すること（１３０）と、
を含む方法。
【請求項２】
前記同期信号区間の毎フレームでＮＢ−ＰＳＳを送信することを含む、請求項１に記載の方法。
【請求項３】
前記ＮＢ−ＳＳＳを、前記同期信号区間の偶数番目のフレームのみで送信することを含む、請求項１または２に記載の方法。
【請求項４】
前記ＮＢ−ＳＳＳを、前記ＮＢ−ＳＳＳが送信される各フレーム内の、単一のサブフレームにのみマッピングすることを含む、請求項１乃至３の何れか１項に記載の方法。
【請求項５】
前記ＮＢ−ＳＳＳを、前記ＮＢ−ＳＳＳが送信される各フレーム内の、サブフレーム９にマッピングすることを含む、請求項１乃至４の何れか１項に記載の方法。
【請求項６】
前記ＮＢ−ＰＳＳを、前記ＮＢ−ＰＳＳが送信される各フレーム内の、単一のサブフレームのみにマッピングすることを含む、請求項１乃至５の何れか１項に記載の方法。
【請求項７】
前記ＮＢ−ＰＳＳを、前記ＮＢ−ＰＳＳが送信される各フレーム内の、サブフレーム５にマッピングすることを含む、請求項１乃至６の何れか１項に記載の方法。
【請求項８】
前記ＮＢ−ＰＳＳおよびＮＢ−ＳＳＳのそれぞれを、低干渉サブフレームとしての構成に影響されず、前記無線ネットワークノード（１０）の全てまたは過半数の可能な時分割複信の構成内のダウンリンクサブフレームである、１または複数個のサブフレームに排他的にマッピングすることを含む、請求項１乃至７の何れか１項に記載の方法。
【請求項９】
前記方法は、前記ＮＢ−ＰＳＳおよびＮＢ−ＳＳＳのそれぞれを、ブロードキャストチャネル上のシステム情報の送信がない１つまたは複数のサブフレームに排他的にマッピングすることを含む、請求項１乃至８の何れか１項に記載の方法。
【請求項１０】
前記ＮＢ−ＰＳＳおよびＮＢ−ＳＳＳは、狭帯域インターネット・オブ・シングス、ＩｏＴの同期信号であって、前記同期信号区間は８０ｍｓ、フレームは１０ｍｓ、そしてサブフレームは１ｍｓである、請求項１乃至１０の何れか１項に記載の方法。
【請求項１１】
複数のフレームを含む同期信号区間内で、狭帯域プライマリ同期信号（ＮＢ−ＰＳＳ）と、狭帯域セカンダリ同期信号（ＮＢ−ＳＳＳ）とを受信するための無線通信機器（１２）によって実施される方法であって、
前記ＮＢ−ＰＳＳが受信されるフレーム１個おきに前記ＮＢ−ＳＳＳを受信することを含む、前記同期信号区間内の前記ＮＢ−ＰＳＳおよびＮＢ−ＳＳＳを受信すること（２１０）と、
前記ＮＢ−ＰＳＳが受信される各フレーム内の同一の１つまたは複数のサブフレームから前記ＮＢ−ＰＳＳをデマッピングすること（２２０）と、
前記ＮＢ−ＰＳＳがデマッピングされる前記１つまたは複数のサブフレームと異なる１つまたは複数のサブフレームから前記ＮＢ−ＳＳＳをデマッピングすることで、前記ＮＢ−ＰＳＳが受信される少なくとも１個のフレームを含む、前記ＮＢ−ＳＳＳが受信される各フレーム内の、同一の１つまたは複数のサブフレームから前記ＮＢ−ＳＳＳをデマッピングすること（２３０）と、
を含む方法。
【請求項１２】
前記同期信号区間の毎フレームでＮＢ−ＰＳＳを受信することを含む、請求項１１に記載の方法。
【請求項１３】
前記ＮＢ−ＳＳＳを、前記同期信号区間の偶数番目のフレームのみで受信することを含む、請求項１１または１２に記載の方法。
【請求項１４】
前記ＮＢ−ＳＳＳを、前記ＮＢ−ＳＳＳが受信される各フレーム内の、単一のサブフレームのみからデマッピングすることを含む、請求項１１乃至１３の何れか１項に記載の方法。
【請求項１５】
前記ＮＢ−ＳＳＳを、前記ＮＢ−ＳＳＳが受信される各フレーム内の、サブフレーム９からデマッピングすることを含む、請求項１１乃至１４の何れか１項に記載の方法。
【請求項１６】
前記ＮＢ−ＰＳＳを、前記ＮＢ−ＰＳＳが受信される各フレーム内の、単一のサブフレームのみからデマッピングすることを含む、請求項１１乃至１５の何れか１項に記載の方法。
【請求項１７】
前記ＮＢ−ＰＳＳを、前記ＮＢ−ＰＳＳが受信される各フレーム内の、サブフレーム５からデマッピングすることを含む、請求項１１乃至１６の何れか１項に記載の方法。
【請求項１８】
ＮＢ−ＰＳＳおよびＮＢ−ＳＳＳのそれぞれを、低干渉サブフレームとしての構成に影響されず、前記無線ネットワークノード（１０）の全てのまたは過半数の可能な時分割複信の構成内のダウンリンクサブフレームである１または複数個のサブフレームに排他的にデマッピングすることを含む、請求項１１乃至１７の何れか１項に記載の方法。
【請求項１９】
前記方法は、前記ＮＢ−ＰＳＳおよびＮＢ−ＳＳＳのそれぞれを、ブロードキャストチャネル上のシステム情報の送信がない１つまたは複数のサブフレームに排他的にデマッピングすることを含む、請求項１１乃至１８の何れか１項に記載の方法。
【請求項２０】
前記受信したＮＢ−ＰＳＳおよびＮＢ−ＳＳＳに基づき、前記無線ネットワークノード（１０）によって提供されるセルのフレームおよびシンボルタイミングを取得することをさらに含む、請求項１１乃至１９の何れか１項に記載の方法。
【請求項２１】
前記ＮＢ−ＰＳＳおよびＮＢ−ＳＳＳは、狭帯域インターネット・オブ・シングス、ＩｏＴの同期信号であって、前記同期信号区間は８０ｍｓ、フレームは１０ｍｓ、そしてサブフレームは１ｍｓである、請求項１１乃至２０の何れか１項に記載の方法。
【請求項２２】
狭帯域プライマリ同期信号（ＮＢ−ＰＳＳ）と、狭帯域セカンダリ同期信号（ＮＢ−ＳＳＳ）とを、複数フレームを含む同期信号区間内で送信するための無線ネットワークノード（１０）であって、
前記ＮＢ−ＰＳＳを、前記ＮＢ−ＰＳＳが送信される各フレーム内の、同一の１つまたは複数のサブフレームにマッピングし、
前記ＮＢ−ＰＳＳがマッピングされる前記１つまたは複数のサブフレームとは異なる１つまたは複数のサブフレームへ前記ＮＢ−ＳＳＳをマッピングすることで、前記ＮＢ−ＰＳＳが送信される少なくとも１個のフレームを含む、前記ＮＢ−ＳＳＳが送信される各フレーム内の、同一の１つまたは複数のサブフレームに前記ＮＢ−ＳＳＳをマッピングし、
前記ＮＢ−ＰＳＳが送信されるフレーム１個おきに、前記ＮＢ−ＳＳＳを送信することを含む、前記マッピングにしたがって前記同期信号区間内で前記ＮＢ−ＰＳＳおよび前記ＮＢ−ＳＳＳを送信する（１３０）、
よう構成される無線ネットワークノード（１０）。
【請求項２３】
請求項２乃至１０の何れか１項に記載の方法を実行するよう構成される、請求項２２に記載の無線ネットワークノード（１０）。
【請求項２４】
狭帯域プライマリ同期信号（ＮＢ−ＰＳＳ）と、狭帯域セカンダリ同期信号（ＮＢ−ＳＳＳ）とを、複数フレームを含む同期信号区間内で送信するための無線ネットワークノード（１０）であって、
前記ＮＢ−ＰＳＳを、前記ＮＢ−ＰＳＳが送信される各フレーム内の、同一の１つまたは複数のサブフレームにマッピングするため、そして、前記ＮＢ−ＰＳＳがマッピングされる前記１つまたは複数のサブフレームとは異なる１つまたは複数のサブフレームへ前記ＮＢ−ＳＳＳをマッピングすることで、前記ＮＢ−ＰＳＳが送信される少なくとも１個のフレームを含む、前記ＮＢ−ＳＳＳが送信される各フレーム内の、同一の１つまたは複数のサブフレームに前記ＮＢ−ＳＳＳをマッピングするためのマッピングモジュール（６５０）と、
前記ＮＢ−ＰＳＳが送信されるフレーム１個おきに、前記ＮＢ−ＳＳＳを送信することを含む、前記マッピングにしたがって前記同期信号区間内で前記ＮＢ−ＰＳＳおよび前記ＮＢ−ＳＳＳを送信するための送信モジュール（６６０）と、
を含む方法。
【請求項２５】
狭帯域プライマリ同期信号（ＮＢ−ＰＳＳ）と、狭帯域セカンダリ同期信号（ＮＢ−ＳＳＳ）とを、複数フレームを含む同期信号区間内で受信するための無線通信装置（１２）であって、
前記ＮＢ−ＰＳＳが受信されるフレーム１個おきに前記ＮＢ−ＳＳＳを受信することを含む、前記同期信号区間内の前記ＮＢ−ＰＳＳおよびＮＢ−ＳＳＳを受信し、
前記ＮＢ−ＰＳＳが送信される各フレーム内の、同一の１つまたは複数のサブフレームから前記ＮＢ−ＰＳＳをデマッピングし、
前記ＮＢ−ＰＳＳがデマッピングされる前記１つまたは複数のサブフレームとは異なる１つまたは複数のサブフレームから前記ＮＢ−ＳＳＳをデマッピングすることで、前記ＮＢ−ＰＳＳが送信される少なくとも１個のフレームを含む、前記ＮＢ−ＳＳＳが受信される各フレーム内の、同一の１つまたは複数のサブフレームに前記ＮＢ−ＳＳＳをデマッピングする、
よう構成される無線通信装置（１２）。
【請求項２６】
請求項１１乃至２１の何れか１項に記載の方法を実行するよう構成される請求項２５に記載の無線通信機器（１２）。
【請求項２７】
狭帯域プライマリ同期信号（ＮＢ−ＰＳＳ）と、狭帯域セカンダリ同期信号（ＮＢ−ＳＳＳ）とを、複数フレームを含む同期信号区間内で受信するための無線通信装置（１２）であって、
前記ＮＢ−ＰＳＳが受信されるフレーム１個おきに前記ＮＢ−ＳＳＳを受信することを含む、前記同期信号区間内の前記ＮＢ−ＰＳＳおよびＮＢ−ＳＳＳを受信するための受信モジュール（７５０）と、
前記ＮＢ−ＰＳＳが受信される各フレーム内の、同一の１つまたは複数のサブフレームから前記ＮＢ−ＰＳＳをデマッピングするため、そして前記ＮＢ−ＰＳＳがデマッピングされる前記１つまたは複数のサブフレームとは異なる１つまたは複数のサブフレームから前記ＮＢ−ＳＳＳをデマッピングすることで、前記ＮＢ−ＰＳＳが受信される少なくとも１個のフレームを含む、前記ＮＢ−ＳＳＳが受信される各フレーム内の、同一の１つまたは複数のサブフレームから前記ＮＢ−ＳＳＳをデマッピングするためのデマッピングモジュール（７６０）と、
を備える無線通信装置（１２）。
【請求項２８】
ノードの少なくとも１つのプロセッサによって実行されると、前記ノードに請求項１乃至２１の何れか１項の方法を実行させる命令を含むコンピュータプログラム。
【請求項２９】
請求項２８のコンピュータプログラムを格納するキャリアであって、前記キャリアは電気信号、光信号、無線信号、またはコンピュータ可読記憶媒体の何れか１つであるキャリア。
【請求項３０】
狭帯域プライマリ同期信号（ＮＢ−ＰＳＳ）と、狭帯域セカンダリ同期信号（ＮＢ−ＳＳＳ）とを、複数フレームを含む同期信号区間内で送信するための無線ネットワークノード（１０）であって、
無線回路（６１０）と、
処理回路（６２０）であって、
前記ＮＢ−ＰＳＳを、前記ＮＢ−ＰＳＳが送信される各フレーム内の、同一の１つまたは複数のサブフレームにマッピングし、
前記ＮＢ−ＰＳＳがマッピングされる前記１つまたは複数のサブフレームとは異なる１つまたは複数のサブフレームへ前記ＮＢ−ＳＳＳをマッピングすることで、前記ＮＢ−ＰＳＳが送信される少なくとも１個のフレームを含む、前記ＮＢ−ＳＳＳが送信される各フレーム内の、同一の１つまたは複数のサブフレームに前記ＮＢ−ＳＳＳをマッピングし、
前記ＮＢ−ＰＳＳが送信されるフレーム１個おきに、前記ＮＢ−ＳＳＳを送信することを含む、前記マッピングに従い、前記同期信号区間内で前記ＮＢ−ＰＳＳおよび前記ＮＢ−ＳＳＳを送信する、
よう構成された前記処理回路（６２０）と、
を備える無線ネットワークノード（１０）。
【請求項３１】
前記処理回路（６２０）は、請求項２乃至１５の何れか１項に記載の方法を実行するよう構成される、請求項３０に記載の無線ネットワークノード（１０）。
【請求項３２】
前記処理回路（６２０）は、前記同期信号区間の毎フレームで前記ＮＢ−ＰＳＳを送信するよう構成される、請求項３０に記載の無線ネットワークノード（１０）。
【請求項３３】
前記処理回路（６２０）は、前記ＮＢ−ＳＳＳが送信される各フレーム内の、単一のサブフレームのみに前記ＮＢ−ＳＳＳをマッピングするよう構成される、請求項３０乃至３２の何れか１項に記載の無線ネットワークノード（１０）。
【請求項３４】
狭帯域プライマリ同期信号（ＮＢ−ＰＳＳ）と、狭帯域セカンダリ同期信号（ＮＢ−ＳＳＳ）とを、複数フレームを含む同期信号区間内で受信するための無線通信機器（１２）であって、
無線回路（７１０）と、
処理回路（７２０）であって、
前記ＮＢ−ＰＳＳが受信されるフレーム１個おきに前記ＮＢ−ＳＳＳを受信することを含む、前記同期信号区間内の前記ＮＢ−ＰＳＳおよびＮＢ−ＳＳＳを受信し、
前記ＮＢ−ＰＳＳが受信される各フレーム内の、同一の１つまたは複数のサブフレームに前記ＮＢ−ＰＳＳをデマッピングし、
前記ＮＢ−ＰＳＳがデマッピングされる前記１つまたは複数のサブフレームとは異なる１つまたは複数のサブフレームから前記ＮＢ−ＳＳＳをデマッピングすることで、前記ＮＢ−ＰＳＳが受信される少なくとも１個のフレームを含む、前記ＮＢ−ＳＳＳが受信される各フレーム内の、同一の１つまたは複数のサブフレームから前記ＮＢ−ＳＳＳをデマッピングする、
よう構成される前記処理回路（７２０）と、
を備える無線通信機器（１２）。
【請求項３５】
前記処理回路（７２０）は請求項１７乃至３０の何れか１項の方法を実行するよう構成される、請求項３４に記載の無線通信機器（１２）。
【請求項３６】
前記処理回路（７２０）が、前記同期信号区間の毎フレームで前記ＮＢ−ＰＳＳを受信するよう構成される、請求項３４に記載の無線通信機器（１２）。
【請求項３７】
前記処理回路（７２０）は、前記ＮＢ−ＳＳＳが受信される各フレーム内の単一のサブフレームのみから前記ＮＢ−ＳＳＳをデマッピングするよう構成される、請求項３４乃至３６の何れか１項に記載の無線通信機器（１２）。
【発明の詳細な説明】
【技術分野】
【０００１】
本願は、一般に、同期信号の送受信に関し、特に、同期信号区間内の狭帯域プライマリ同期信号および狭帯域セカンダリ同期信号の送受信に関する。
【背景技術】
【０００２】
無線通信装置は、セルラ通信システムのセルの１つを発見し、同期するために、セルサーチとして知られる手順を実行する。セルへの同期は、セルの送受信タイミングへ、装置の送受信タイミングを同期させることを含む。例えば、送信は、「フレーム」（例えば１０ｍｓ）の観点では比較的高いレベルの粒度で、「サブフレーム」（例えば１ｍｓ）の観点ではより低いレベルの粒度で、そして「シンボル」の観点ではさらにより低いレベルの粒度で特定されるタイミング構造にしたがって行われてよい。したがって、この場合の同期は、セルのフレームおよびシンボルタイミングを取得すること（すなわち、セルのフレーム構造とシンボルレベルのタイミングアラインメントを取得すること）を含む。同期はまた、セルへの周波数同期を取得すること（例えば、周波数オフセットを補正すること）、セルの識別子を得ること、および絶対的なフレーム番号参照の取得を含んでもよい。
【０００３】
セルサーチは、典型的には、検出を容易にするために、１つまたは複数の既知のシーケンスを定期的に送信することによって達成される。１つまたは複数の既知のシーケンスは、「同期信号」として総称される。いくつかのシステムでは、同期信号は、同期において異なる目的を果たす複数の異なるコンポーネント信号を含む。これらのコンポーネント信号は、広帯域符号分割多重（ＷＣＤＭＡ（登録商標））およびロングタームエボリューション（ＬＴＥ）システムのようないくつかのシステムで、プライマリ同期信号（ＰＳＳ）およびセカンダリ同期信号（ＳＳＳ）を含む。ＰＳＳ単体は、（例えばシンボルベースの）粗い分解能でのタイミング同期を容易にすることができ、一方でＳＳＳと組み合わせることで、（例えばフレームベースの）より細かい解像度でのタイミング同期を容易にすることができる。
【０００４】
同期は特定のコンテキストで困難であることがわかる。特に、セルラ通信システムは、マシン型通信（ＭＴＣ）のために、現在開発され改善されている。ＭＴＣは、例えばモバイルブロードバンドよりも、データレートに対する要求が低いが、例えば安価なデバイス設計、優れたカバレッジ、およびバッテリの充電または交換を行わずにバッテリで数年間動作させることができる能力に対して、要求がより高いことによって特徴付けられる。現在、第三世代パートナーシッププロジェクト（３ＧＰＰ）は、現在のＬＴＥ無線アクセス技術との後方互換性を維持しながら、ＭＴＣタイプアプリケーションによって要求される全ての要件を満たすために、狭帯域インターネット・オブ・シングス（ＮＢ−ＩｏＴ）と呼ばれる機能を規格化している。ＮＢ−ＩｏＴ送信は、広帯域ＬＴＥ送信の帯域内で、広帯域ＬＴＥ送信のガードバンド内で、または別個のスペクトラムで行われうる。それにも関わらず、ＮＢ−ＩｏＴ機器が非常に低い信号対雑音比（ＳＮＲ）で動作する必要がありうるため、ＮＢ−ＩｏＴ環境における同期は困難であることが分かる。これは、狭帯域同期信号のデザインは、後方互換性を提供しながらも、ＳＮＲの広範囲で動作可能であるよう、極めてロバストであるべきである。このことに関して、既知の狭帯域同期信号のデザインは不十分である。
【発明の概要】
【０００５】
本明細書のいくつかの実施形態にかかる無線ネットワークノード（例えば基地局）は、複数のフレームを含む同期信号区間内で狭帯域プライマリ同期信号（ＮＢ−ＰＳＳ）および狭帯域セカンダリ同期信号（ＮＢ−ＳＳＳ）を送信する。無線ネットワークノードは、ＮＢ−ＰＳＳを、ＮＢ−ＰＳＳが送信される各フレーム内の、同一の１つまたは複数のサブフレームにマッピングする。無線ネットワークノードは、同様に、ＮＢ−ＳＳＳを、ＮＢ−ＳＳＳが送信される各フレーム内の、同一の１つまたは複数のサブフレームにマッピングする。これは、ＮＢ−ＰＳＳが送信される少なくとも１個のフレームを含む（すなわち、ＮＢ−ＰＳＳおよびＮＢ−ＳＳＳは、同期信号区間の少なくとも１個のフレームについて、同一フレームで送信される）。無線ネットワークノードはこれを、ＮＢ−ＰＳＳがマッピングされる１つまたは複数のサブフレームとは異なる１つまたは複数のサブフレームからＮＢ−ＳＳＳをマッピングすることによって達成する。次に、無線ネットワークノードは、このマッピングに従い、同期信号区間内でＮＢ−ＰＳＳおよびＮＢ−ＳＳＳを送信する。いくつかの実施形態では、例えば、無線ネットワークノードはＮＢ−ＰＳＳが送信されるフレーム１個おきにＮＢ−ＳＳＳを送信する。
【０００６】
このようにＮＢ−ＰＳＳおよびＮＢ−ＳＳＳを送信することは、好ましくは同期信号区間内でより高い同期信号密度を容易にする。実際、異なるサブフレームで（すなわち、時間的に異なるサブフレーム位置で）ＮＢ−ＰＳＳおよびＮＢ−ＳＳＳを送信することで、ＮＢ−ＰＳＳの送信密度はＮＢ−ＳＳＳ送信との潜在的な衝突によって制限されない。事実、いくつかの実施形態におけるＮＢ−ＰＳＳは、同期信号区間の毎フレーム内で送信される。ＮＢ−ＰＳＳを時間的により高い密度で送信することは、低ＳＮＲに直面した場合によりロバストであることを証明する同期へ変換する。
【０００７】
少なくともいくつかの実施形態では、本明細書の無線ネットワークノードは、例えば後方互換性を確実にする、または少なくとも最大化するために、ＮＢ−ＰＳＳおよびＮＢ−ＳＳＳを特定の選択サブフレームにマッピングする。例えば、１つまたは複数の実施形態では、無線ネットワークノードは、ＮＢ−ＰＳＳおよびＮＢ−ＳＳＳのそれぞれを、低干渉サブフレームとしての構成に影響されない１または複数個のサブフレームであって、無線ネットワークノードの可能な時分割複信の構成の全てまたは過半数の中のダウンリンクサブフレームである１または複数個のサブフレームに排他的にマッピングする。代替的にまたは付加的に、無線ネットワークノードは、ＮＢ−ＰＳＳおよびＮＢ−ＳＳＳのそれぞれを、ブロードキャストチャネル上のシステム情報の送信がないサブフレームに排他的にマッピングしてもよい。
【０００８】
それにも関わらず、１つまたは複数の実施形態では、無線ネットワークノードは、同期信号区間の毎フレームでＮＢ−ＰＳＳを送信する。代替的に、無線ネットワークノードは同期信号区間の奇数番目のフレームのみでＮＢ−ＰＳＳを送信する。
【０００９】
付加的または代替的に、無線ネットワークノードは同期信号区間の１個のフレームのみでＮＢ−ＳＳＳを送信する。代替的に、無線ネットワークノードはＮＢ−ＰＳＳが送信される各フレームでＮＢ−ＳＳＳを送信する。
【００１０】
いくつかの実施形態では、無線ネットワークノードは同期信号区間の偶数番目のフレームのみでＮＢ−ＳＳＳを送信する。
【００１１】
いくつかの実施形態では、無線ネットワークノードはＮＢ−ＳＳＳが送信される各フレーム内の単一のサブフレームのみにＮＢ−ＳＳＳをマッピングする。例えば、いくつかの実施形態では、無線ネットワークノードは、ＮＢ−ＳＳＳが送信される各フレーム内の、サブフレーム９にＮＢ−ＳＳＳをマッピングする。
【００１２】
いくつかの実施形態では、無線ネットワークノードは、ＮＢ−ＰＳＳが送信される各フレーム内の、単一のサブフレームのみにＮＢ−ＰＳＳをマッピングする。例えば、いくつかの実施形態では、無線ネットワークノードは、ＮＢ−ＰＳＳが送信される各フレーム内の、サブフレーム５にＮＢ−ＰＳＳをマッピングする。それにも関わらず、ＮＢ−ＰＳＳを単一のサブフレームのみにマッピングするために、無線ネットワークノードは２個の基本ＮＢ−ＰＳＳシーケンスの合計からＮＢ−ＰＳＳを生成してもよい。
【００１３】
１つまたは複数の実施形態では、無線ネットワークノードは、ＮＢ−ＰＳＳおよびＮＢ−ＳＳＳのそれぞれを、低干渉サブフレームとしての構成に影響されない１つまたは複数のサブフレームであって、無線ネットワークノードの全てまたは過半数の可能な時分割複信の構成内のダウンリンクサブフレームである、１つまたは複数のサブフレームに排他的にマッピングする。代替的にまたは付加的に、無線ネットワークノードは、ＮＢ−ＰＳＳおよびＮＢ−ＳＳＳのそれぞれを、ブロードキャストチャネル上のシステム情報の送信がない１つまたは複数のサブフレームに排他的にマッピングする。
【００１４】
いくつかの実施形態では、無線ネットワークノードは異なる基本ＮＢ−ＰＳＳシーケンスとしてＮＢ−ＰＳＳを生成し、所与のフレームにおいて送信される１個のみの基本ＮＢ−ＰＳＳシーケンスで、同期信号区間の異なるフレームの基本ＮＢ−ＰＳＳシーケンスの異なる個別の１つを送信することによってＮＢ−ＰＳＳを送信する。この場合、異なる基本ＮＢ−ＰＳＳシーケンスは２個の基本ＮＢ−ＰＳＳシーケンスを含んでもよく、無線ネットワークノードは同期信号区間の選択フレーム内でＮＢ−ＰＳＳを送信してもよい。無線ネットワークノードは２個の基本ＮＢ−ＰＳＳシーケンスの片方の送信と、２個の基本ＮＢ−ＰＳＳシーケンスの他方の送信とを、選択フレームの１個おきに切り替えてもよい。
【００１５】
１つまたは複数の実施形態において、無線ネットワークノードは１つまたは複数のパラメータを示すＮＢ−ＰＳＳおよび／またはＮＢ−ＳＳＳを送信する。１つまたは複数のパラメータは、以下の１または複数を含んでもよい：無線ネットワークノードからの狭帯域送信が広帯域伝送の帯域内、広帯域伝送のガードバンド内、または別個のいずれかを指す狭帯域デプロイタイプ；広帯域伝送の帯域内に位置する狭帯域伝送の位置を示す伝送リソースインデックス；および無線ネットワークノードが周波数分割複信モードまたは時分割複信モードのいずれかで動作しているかを示す無線ネットワークノードの動作モード。
【００１６】
いくつかの実施形態では、無線ネットワークノードはＮＢ−ＰＳＳおよびＮＢ−ＳＳＳを送信するサイクリックプレフィックスの長さを選択する。この場合、無線ネットワークノードは、同一の１つまたは複数の基本ＮＢ−ＰＳＳシーケンスを用い、選択した長さに関わらず、しかしながら異なる選択した長さに対して異なるパンクチャパターンを用いることで、異なる選択した長さに対して異なる方法でＮＢ−ＰＳＳを生成してもよい。対照的に、無線ネットワークノードは、異なる選択した長さに対して、同様にＮＢ−ＳＳＳを生成してもよい。
【００１７】
任意のまたは全てのこれらの実施形態で、ＮＢ−ＰＳＳおよびＮＢ−ＳＳＳは狭帯域インターネット・オブ・シングス（ＩｏＴ）の同期信号であってもよい。このような場合、同期信号区間は８０ｍｓであってもよく、フレームは１０ｍｓであってもよく、サブフレームは１ｍｓであってもよい。
【００１８】
本明細書の実施形態はさらに、複数のフレームを含む同期信号区間内で、狭帯域プライマリ同期信号（ＮＢ−ＰＳＳ）と、狭帯域セカンダリ同期信号（ＮＢ−ＳＳＳ）とを受信するための無線通信機器（例えばユーザ装置）によって実施される方法を含む。当該方法は、同期信号区間内でＮＢ−ＰＳＳおよびＮＢ−ＳＳＳを受信することを含む。これは、例えば、ＮＢ−ＰＳＳが受信されるフレーム１個おきにＮＢ−ＳＳＳを受信することを含む。当該方法はさらに、ＮＢ−ＰＳＳが受信される各フレーム内の、同一の１つまたは複数のサブフレームから、ＮＢ−ＰＳＳをデマッピングすることを伴う。当該方法は、ＮＢ−ＰＳＳがデマッピングされる１つまたは複数のサブフレームとは異なる１つまたは複数のサブフレームから前記ＮＢ−ＳＳＳをデマッピングすることで、ＮＢ−ＰＳＳが受信される少なくとも１個のフレームを含む、ＮＢ−ＳＳＳが受信される各フレーム内の、同一の１つまたは複数のサブフレームからＮＢ−ＳＳＳをデマッピングすることを含む。
【００１９】
いくつかの実施形態では、無線通信機器は同期信号区間の毎フレームでＮＢ−ＰＳＳを受信する。代替的に、無線通信機器は同期信号区間の奇数番目のフレームのみでＮＢ−ＰＳＳを受信する。
【００２０】
いくつかの実施形態では、無線通信機器は同期信号区間の偶数番目のフレームのみでＮＢ−ＳＳＳを受信する。
【００２１】
代替的にまたは付加的に、無線通信機器は同期信号区間の単一のフレームのみでＮＢ−ＳＳＳを受信する。代替的に、無線通信機器はＮＢ−ＰＳＳが受信される各フレームでＮＢ−ＳＳＳを受信する。
【００２２】
１つまたは複数の実施形態では、無線通信機器は、ＮＢ−ＳＳＳが受信される各フレーム内の、単一のサブフレームのみからＮＢ−ＳＳＳをデマッピングする。例えば、いくつかの実施形態では、無線通信機器は、ＮＢ−ＳＳＳが受信される各フレーム内の、サブフレーム９からＮＢ−ＳＳＳをデマッピングしてもよい。代替的にまたは付加的に、無線通信機器は、ＮＢ−ＰＳＳが受信される各フレーム内の、単一のサブフレームのみからＮＢ−ＰＳＳをデマッピングする。例えば、いくつかの実施形態では、無線通信機器は、ＮＢ−ＰＳＳが受信される各フレーム内の、サブフレーム５からＮＢ−ＰＳＳをデマッピングすることができる。それにも関わらず、単一のサブフレームのみからＮＢ−ＰＳＳをデマッピングするために、無線通信機器は２個の基本ＮＢ−ＰＳＳシーケンスの合計からＮＢ−ＰＳＳを回復してもよい。
【００２３】
いくつかの実施形態では、無線通信機器は、ＮＢ−ＰＳＳおよびＮＢ−ＳＳＳのそれぞれを、低干渉サブフレームとしての構成に影響されない１または複数個のサブフレームであって、無線ネットワークノードの全てのまたは過半数の可能な時分割複信の構成内のダウンリンクサブフレームである１または複数個のサブフレームから排他的にデマッピングする。代替的にまたは付加的に、無線通信機器は、ＮＢ−ＰＳＳおよびＮＢ−ＳＳＳのそれぞれを、ブロードキャストチャネル上のシステム情報の送信がない１つまたは複数のサブフレームから排他的にデマッピングする。
【００２４】
いくつかの実施形態では、無線通信機器は異なる基本ＮＢ−ＰＳＳシーケンスとしてＮＢ−ＰＳＳを回復し、所与のフレームから受信された１個のみの基本ＮＢ−ＰＳＳシーケンスで、同期信号区間の異なるフレームの基本ＮＢ−ＰＳＳシーケンスの異なる個別の１つを受信することでＮＢ−ＰＳＳを受信する。このような場合、異なる基本ＮＢ−ＰＳＳシーケンスは、２個の基本ＮＢ−ＰＳＳシーケンスを含んでもよい。機器は、同期信号区間の選択フレーム内のＮＢ−ＰＳＳを受信し、２個の基本ＮＢ−ＰＳＳシーケンスの片方を受信することと、２個の基本ＮＢ−ＰＳＳシーケンスの他方を受信することとを、選択フレームの１個おきに変えてもよい。
【００２５】
いくつかの実施形態では、無線通信機器はＮＢ−ＰＳＳおよび／またはＮＢ−ＳＳＳから１つまたは複数のパラメータを判断する。１つまたは複数のパラメータは、以下の１または複数を含んでもよい：無線ネットワークノードからの狭帯域送信が広帯域伝送の帯域内、広帯域伝送のガードバンド内、または別個のいずれかを指す狭帯域デプロイタイプ；広帯域伝送の帯域内に位置する狭帯域伝送の位置を示す伝送リソースインデックス；および無線ネットワークノードが周波数分割複信モードまたは時分割複信モードのいずれで動作しているかを示す無線ネットワークノードの動作モード。
【００２６】
１つまたは複数の実施形態では、無線通信機器は、受信したＮＢ−ＰＳＳおよびＮＢ−ＳＳＳに基づき、無線ネットワークノードによって提供されるセルのフレームおよびシンボルタイミングを取得する。
【００２７】
任意のまたは全てのこれらの実施形態において、ＮＢ−ＰＳＳおよびＮＢ−ＳＳＳは狭帯域インターネット・オブ・シングス（ＩｏＴ）同期信号であってもよい。このような場合、同期信号区間は８０ｍｓであってもよく、フレームは１０ｍｓであってもよく、サブフレームは１ｍｓであってもよい。
【００２８】
本明細書の実施形態は、狭帯域プライマリ同期信号（ＮＢ−ＰＳＳ）と、狭帯域セカンダリ同期信号（ＮＢ−ＳＳＳ）とを、複数フレームを含む同期信号区間内で送信するための無線ネットワークノードも含む。無線ネットワークノードは、ＮＢ−ＰＳＳを、ＮＢ−ＰＳＳが送信される各フレーム内の、同一の１つまたは複数のサブフレームにマッピングするよう構成される。無線ネットワークノードは、ＮＢ−ＰＳＳがマッピングされる１つまたは複数のサブフレームとは異なる１つまたは複数のサブフレームへＮＢ−ＳＳＳをマッピングすることで、ＮＢ−ＰＳＳが送信される少なくとも１個のフレームを含む、ＮＢ−ＳＳＳが送信される各フレーム内の、同一の１つまたは複数のサブフレームにＮＢ−ＳＳＳをマッピングするよう構成される。無線ネットワークノードはさらに、当該マッピングに従い、同期信号区間内でＮＢ−ＰＳＳおよびＮＢ−ＳＳＳを送信するよう構成される。いくつかの実施形態では、例えば、無線ネットワークノードはＮＢ−ＰＳＳが送信されるフレーム１個おきにＮＢ−ＳＳＳを送信するよう構成される。
【００２９】
本明細書の実施形態は、複数のフレームを含む同期信号区間内で、狭帯域プライマリ同期信号（ＮＢ−ＰＳＳ）と、狭帯域セカンダリ同期信号（ＮＢ−ＳＳＳ）とを受信するための無線通信機器をさらに含む。無線通信機器は同期信号区間内でＮＢ−ＰＳＳおよびＮＢ−ＳＳＳを受信するよう構成される。これは例えばＮＢ−ＰＳＳが受信されるフレーム１個おきにＮＢ−ＳＳＳを受信することを含む。無線通信機器はさらに、ＮＢ−ＰＳＳが受信される各フレーム内の、同一の１つまたは複数のサブフレームからＮＢ−ＰＳＳをデマッピングするよう構成される。無線通信機器はさらに、ＮＢ−ＰＳＳがデマッピングされる１つまたは複数のサブフレームとは異なる１つまたは複数のサブフレームからＮＢ−ＳＳＳをデマッピングすることで、ＮＢ−ＰＳＳが受信される少なくとも１個のフレームを含む、ＮＢ−ＳＳＳが受信される各フレーム内の、同一の１つまたは複数のサブフレームからＮＢ−ＳＳＳをデマッピングするよう構成される。
【００３０】
これにより、本明細書の実施形態は、複数のＮＢ−ＩｏＴ同期信号の配置デザインを含み、既知のデザインに関連付けられた１つまたは複数の前述の欠点を解決する。さらに、ＴＤＤおよび拡張ＣＰのサポートが考慮される。
【図面の簡単な説明】
【００３１】
【図１】１以上の実施形態に係る、無線通信システムのブロック図。
【図２】１以上の実施形態に係る、無線ネットワークノードによって実施される方法の論理フロー図。
【図３Ａ】１以上の実施形態に係る、異なる同期信号のマッピングのブロック図。
【図３Ｂ】１以上の実施形態に係る、異なる同期信号のマッピングのブロック図。
【図４Ａ】１以上の実施形態に係る、同期信号のマッピングにおいて考慮される異なるサブフレーム制約条件のブロック図。
【図４Ｂ】１以上の実施形態に係る、同期信号のマッピングにおいて考慮される異なるサブフレーム制約条件のブロック図。
【図４Ｃ】１以上の実施形態に係る、同期信号のマッピングにおいて考慮される異なるサブフレーム制約条件のブロック図。
【図５Ａ】１以上の実施形態に係る、異なる同期信号のマッピングのブロック図。
【図５Ｂ】１以上の実施形態に係る、異なる同期信号のマッピングのブロック図。
【図６】１以上の実施形態に係る、同期信号のマッピングのブロック図。
【図７Ａ】１以上の実施形態に係る、異なる同期信号のマッピングのブロック図。
【図７Ｂ】１以上の実施形態に係る、異なる同期信号のマッピングのブロック図。
【図７Ｃ】１以上の実施形態に係る、異なる同期信号のマッピングのブロック図。
【図７Ｄ】１以上の実施形態に係る、異なる同期信号のマッピングのブロック図。
【図８】１以上の実施形態に係る、同期信号生成のブロック図。
【図９】１以上の実施形態に係る、無線通信機器によって実施される方法の論理フロー図。
【図１０】１以上の実施形態に係る、無線ネットワークノードのブロック図。
【図１１】１以上の他の実施形態に係る、無線ネットワークノードのブロック図。
【図１２】１以上の実施形態に係る、無線通信機器のブロック図。
【図１３】１以上の他の実施形態に係る、無線通信機器のブロック図。
【発明を実施するための形態】
【００３２】
図１は、１以上の実施形態に係る、無線通信システムにおける無線ネットワークノード１０および無線通信機器１２を示す。無線ネットワークノード１０は、例えば狭帯域なインターネット・オブ・シングス（ＩｏＴ）のための、狭帯域プライマリ同期信号（ＮＢ−ＰＳＳ）１４および狭帯域セカンダリ同期信号（ＮＢ−ＳＳＳ）１６を送信するよう構成される。ノードのデプロイモードに応じて、これらの狭帯域信号１４および１６は、広帯域送信（例えば広帯域ＬＴＥ送信）のガードバンド内、または広帯域送信の帯域内の（例えばＧＳＭ（登録商標）から再構築された）別個のスペクトラムで送信されてもよい。それにも関わらず、いくつかの実施形態における無線通信機器１２は、無線ネットワークノード１０によって提供されるセルのフレームおよびシンボルのタイミングを取得するために、セルサーチの一部として狭帯域同期信号１４および１６を受信する。
【００３３】
無線ネットワークノード１０は同期信号区間１８内でＮＢ−ＰＳＳおよびＮＢ−ＳＳＳを送信する。図１は、時間とともに周期的に（例えば８０ｍｓ毎に）繰り返す、区間１８Ａ、１８Ｂ、１８Ｃなどのような複数の区間１８を示す。各同期信号区間１８は複数のいわゆるフレーム２０を含む。フレーム２０は無線通信システムのタイミング構造に係る特定レベルの粒度に特有の時間量（例えば１０ｍｓ）であるとして定義される。各フレーム２０は複数のサブフレーム２２を含む。各サブフレーム２２は、同様に、システムのタイミング構造に係るより低いレベルの粒度に特有の時間量（例えば１ｍｓ）であるとして定義される。
【００３４】
無線ネットワークノード１０は、例えば同期信号区間１８内で特定の同期信号密度を達成するために、特定のフレーム２０およびサブフレーム２２内で、ＮＢ−ＰＳＳ１４およびＮＢ−ＳＳＳ１６を送信する。このことに関して、無線ネットワークノード１０は、同期信号区間１８内で信号１４および１６を送信するために、図２に示す処理を実行する。
【００３５】
図２に示すように、無線ネットワークノード１０の処理は、ＮＢ−ＰＳＳ１４を、ＮＢ−ＰＳＳが送信される各フレーム２０内の１以上の同一のサブフレーム２２にマッピングすることを含む（ブロック１１０）。つまり、ＮＢ−ＰＳＳ１４がマッピングされるサブフレーム２２は、ＮＢ−ＰＳＳ１４が送信される異なるフレーム２０にわたって同一である（すなわち、各フレーム２０内のサブフレーム２２の位置は同一である）。図１に示すように、例えば、無線ネットワークノード１０は、ＮＢ−ＰＳＳ１４を、ＮＢ−ＰＳＳ１４が送信される各フレーム２０内の同一の２個のサブフレーム２２Ａおよび２２Ｂにマッピングする。これらの２つのサブフレーム２２Ａおよび２２Ｂの位置は、各フレーム２０内で同一である（例えば、ＮＢ−ＰＳＳ１４はＮＢ−ＰＳＳ１４が送信される各フレーム２０内のサブフレーム位置４および５へマッピングされる）。
【００３６】
無線ネットワークノード１０の処理は、同様に、ＮＢ−ＳＳＳ１６を、ＮＢ−ＳＳＳ１６が送信される各フレーム２０内の１以上の同一のサブフレーム２２にマッピングすることを含む（ブロック１１０）。また、これはＮＢ−ＳＳＳ１６がマッピングされるサブフレーム２２は、ＮＢ−ＳＳＳ１６が送信される異なるフレーム２０にわたって同一である（すなわち、各フレーム２０内のサブフレーム２２の位置は同一である）ことを意味する。図１に示すように、例えば、無線ネットワークノード１０は、ＮＢ−ＳＳＳ１６を、ＮＢ−ＳＳＳ１６が送信される各フレーム２０内の同一の単一のサブフレーム２２Ｃにマッピングする。
【００３７】
とりわけ、ＮＢ−ＳＳＳ１６は、ＮＢ−ＰＳＳ１４が送信される少なくとも１つのフレーム２０内で送信される。すなわち、無線ネットワークノード１０は同一である少なくとも１つのフレーム２０内でＮＢ−ＰＳＳ１４およびＮＢ−ＳＳＳ１６を送信する。無線ネットワークノード１０は、ＮＢ−ＳＳＳ１６を、ＮＢ−ＰＳＳ１４がマッピングされる１以上のサブフレーム２２とは異なる１以上のサブフレーム２２へマッピングすることでこれを達成する。例えば図１は、同期信号区間１８の最終フレーム内で両方が送信されるＮＢ−ＰＳＳ１４およびＮＢ−ＳＳＳ１６を示すが、ＮＢ−ＰＳＳ１４はサブフレーム２２Ａおよび２２Ｂにマッピングされる一方でＮＢ−ＳＳＳ１６が同一フレーム内の異なる（重複しない）サブフレーム２２Ｃにマッピングされる。それにも関わらず、無線ネットワークノード１０の処理１００は、このマッピングに係る同期信号区間１８内でＮＢ−ＰＳＳ１４およびＮＢ−ＳＳＳ１６を送信することをさらに含む（ブロック１３０）。いくつかの実施形態では、例えば、無線ネットワークノード１０は、ＮＢ−ＰＳＳが送信されるフレーム１個おきにＮＢ−ＳＳＳを送信する。
【００３８】
このようにＮＢ−ＰＳＳおよびＮＢ−ＳＳＳを送信することで、同期信号区間１８内のより高い同期信号密度を有利に促進する。実際、異なるサブフレームで（すなわち、時間的に異なるサブフレーム位置で）ＮＢ−ＰＳＳ１４およびＮＢ−ＳＳＳ１６を送信することでＮＢ−ＰＳＳ１４の送信密度はＮＢ−ＳＳＳ１６との衝突する可能性によって制限されない（例えば、異なるサブフレームにマッピングされるため、ＮＢ−ＰＳＳ１４およびＮＢ−ＳＳＳ１６は同一フレーム内で送信されてもよい）。時間的により高密度にＮＢ−ＰＳＳ１４を送信することは、（例えば、狭帯域同期信号１４および１６の帯域内またはガードバンド送信のための低い送信電力に起因する）低いＳＮＲに直面してもよりロバストであると証明する同期に変換される。さらに、このようにして、同期信号密度は、例えば同期信号が毎フレームの同一のサブフレームを用いて送信される場合、同期信号検出に求められる複雑さに有意な影響を与えることなく、増加される。
【００３９】
図３Ａは、図２の処理に係る同期信号１４および１６のマッピングによってＮＢ−ＰＳＳ１４の密度をどのように増加するかの１つの非限定的な例を示す。
【００４０】
図３Ａに示すように、同期信号区間１８はフレーム０−７として連続してインデックスが付けられるまたは番号付けられる８個のフレーム２０を含む。同様に、各フレーム２０は、サブフレーム０−９として順次インデックスが付けられるまたは番号付けられる１０個のサブフレーム２２を含む。無線ネットワークノード１０は、ＮＢ−ＰＳＳ１４を、ＮＢ−ＰＳＳ１４が送信される各フレーム内の同一の２個の（サブフレーム４および５としてインデックスが付けられる）サブフレーム２２にマッピングする。本例ではより具体的には、無線ネットワークノード１０は２つの異なる基本シーケンスＮＢ−ＰＳＳ１およびＮＢ−ＰＳＳ２（例えばＺａｄｏｆｆ−Ｃｈｕシーケンス）としてＮＢ−ＰＳＳ１４を生成し、ＮＢ−ＰＳＳ１をサブフレーム４に、ＮＢ−ＰＳＳ２をサブフレーム５にマッピングする。一方、無線ネットワークノード１０は、ＮＢ−ＳＳＳ１６が送信される各フレーム２０のうちのただ１つのサブフレーム２２にＮＢ−ＳＳＳ１６をマッピングする（しかしながら、他の実施形態では、２つのサブフレームが用いられうる）。実際に、少なくともいくつかの実施形態では、ただ１つのサブフレームでのＮＢ−ＳＳＳ１６の送信でも、たとえ低いＳＮＲ環境においても、ＮＢ−ＳＳＳ１６の許容できる検出性能をもたらす。それにも関わらず、この１個のサブフレームは、ＮＢ−ＰＳＳ１４がマッピングされたサブフレームのいずれとも異なる。図示するように、ノード１０は、ＮＢ−ＰＳＳ１４がマッピングされるサブフレーム４および５とは異なるサブフレーム９に、ＮＢ−ＳＳＳ１６をマッピングする。
【００４１】
このように、ＮＢ−ＰＳＳ１４およびＮＢ−ＳＳＳ１６の異なるサブフレーム（すなわち、異なる位置）へのマッピングは、無線ネットワークノード１０が同期信号区間１８において、例えばこのマッピングストラテジーなしに可能であるものよりも、より高い密度で、ＮＢ−ＰＳＳ１４を送信することを可能にする。実際、図３Ａの例において、無線ネットワークノード１０は同期信号区間１８内の８個のフレーム０−７の全てでＮＢ−ＰＳＳ１４を送信する。一方、たとえ低いＳＮＲ環境でも十分であることを証明するＮＢ−ＳＳＳ１６の低密度の送信で、無線ネットワークノード１０は、同期信号区間１８のただ１個のフレーム、すなわち最終フレーム７においてＮＢ−ＳＳＳ１６を送信する。このように最終フレーム７でＮＢ−ＰＳＳ１４およびＮＢ−ＳＳＳ１６の両方が送信される場合、信号１４および１６が異なるサブフレームを占有することで、信号１４と１６との衝突を回避することができる。
【００４２】
さらに、無線ネットワークノード１０はなお、ＮＢ−ＰＳＳ１４の密度に関して柔軟性を維持する。いくつかの実施形態では、図３Ｂに示すように、無線ネットワークノード１０は、例えば同期信号区間１８の奇数番目のフレーム（すなわち、１，３，５，７...）のみの、１つおきのフレーム２０においてＮＢ−ＰＳＳ１４を送信することで、より低密度でＮＢ−ＰＳＳ１４を送信する。
【００４３】
少なくともいくつかの実施形態では、無線ネットワークノード１０は、どのように異なるサブフレームが利用を許可されるかを左右する１つ以上の制約条件に基づき、ＮＢ−ＰＳＳ１４およびＮＢ−ＳＳＳ１６を特定の選択サブフレームにマッピングする。これらの制約条件は、例えば、所与のサブフレームが低干渉サブフレーム（例えばマルチキャスト−ブロードキャスト型の単一周波数ネットワーク（ＭＢＳＦＮ）サブフレーム）、ダウンリンクサブフレーム、および／またはブロードキャストチャネル上でシステム情報が送信されうるサブフレームとして設定可能であるか否かに関係してもよい。しかしながら、特定の制約条件に関わらず、無線ネットワークノード１０は、どのようにサブフレームが用いられるべきであるかについての潜在的に競合する制約条件とのバランスを取るように選択された特定のサブフレームへＮＢ−ＰＳＳ１４およびＮＢ−ＳＳＳ１６をマッピングする。
【００４４】
時分割複信（ＴＤＤ）の可能な構成の所定数が、どのサブフレームがダウンリンクサブフレームとして構成可能であるかを左右する例示的な実施形態について検討する。図４Ａは７個のそのような可能なＴＤＤ構成を示す。図示するように、サブフレーム０および５は７個の可能なＴＤＤ構成の全てでダウンリンクサブフレームとして構成され、サブフレームは構成０以外の可能なＴＤＤ構成の全てでダウンリンクサブフレームとして構成され、サブフレーム４および８は３個の可能なＴＤＤ構成のうちの４個でダウンリンクサブフレームとして構成される。これを考慮すると、いくつかの実施形態における無線ネットワークノード１０は、ＮＢ−ＰＳＳ１４およびＮＢ−ＳＳＳ１６のそれぞれを、無線ネットワークノード１０の全ての（または過半数の）可能なＴＤＤ構成内のダウンリンクサブフレームである１または複数個のサブフレームに排他的にマッピングする。
【００４５】
代替的にまたは付加的に、無線ネットワークノード１０は、そのマッピングにおいて、特定のサブフレームはいわゆる低干渉サブフレームとして構成可能であってもよいという事実を考慮する。低干渉サブフレームとは、同一の周波数リソース上で異なる送信機によって送信された他のサブフレームへ、ないまたは限られた干渉量を生じさせるサブフレームである。無線ネットワークノード１０は、例えば、低干渉サブフレーム内の１つまたは複数の送信リソース上での送信電力を（例えば特定の時間−周波数リソース上でパンクチャするまたは送信しないことによって）、例えば通常のサブフレームのための通常の送信電力と比較して、減らしてもよい。一例として、低干渉サブフレームは、マルチキャスト−ブロードキャスト単一周波数ネットワーク（ＭＢＳＦＮ）サブフレームであってもよい。
【００４６】
任意のイベントにおいて、いくつかの実施形態における無線ネットワークノード１０は、ＮＢ−ＰＳＳ１４およびＮＢ−ＳＳＳ１６のそれぞれを、低干渉サブフレームとしての構成に影響されない１または複数個のサブフレームに排他的にマッピングする。例えば図４Ｂは、サブフレーム１−３および６−８が低干渉サブフレームとして構成可能な一例を示す。無線ネットワークノード１０は、これを考慮することで、ＮＢ−ＰＳＳ１４およびＮＢ−ＳＳＳ１６がマッピングされるべきサブフレームを選択する。実際、いくつかの実施形態では、無線ネットワークノード１０は、低干渉サブフレームとしての構成に影響されないサブフレームであるため、サブフレーム０、４、５、および９から構成されるセットから、ＮＢ−ＰＳＳ１４およびＮＢ−ＳＳＳ１６をマッピングするサブフレームを選択する。
【００４７】
さらに他の実施形態では、無線ネットワークノード１０は、そのマッピングにおいて、システム情報が特定のサブフレーム内のブロードキャストチャネル上で送信されうるという事実を考慮する。例えば図４Ｃは、サブフレーム０内のブロードキャストチャネル（例えば狭帯域物理ブロードキャストチャネルＮＢ−ＰＢＣＨ）上でシステム情報が送信されることを示す。このシステム情報の送信との競合を避けるために、無線ネットワークノード１０はいくつかの実施形態においてＮＢ−ＰＳＳ１４およびＮＢ−ＳＳＳ１６のそれぞれをブロードキャストチャネル上のシステム情報の送信がないサブフレームに排他的にマッピングする。図４Ｃにおいて、例えば、無線ネットワークノード１０は、システム情報の送信が（常に）ないサブフレームであるため、サブフレーム１−９から構成されるセットからＮＢ−ＰＳＳ１４およびＮＢ−ＳＳＳ１６をマッピングするサブフレームを選択する。
【００４８】
いくつかの実施形態では、無線ネットワークノード１０は、ＮＢ−ＰＳＳ１４およびＮＢ−ＳＳＳ１６のそれぞれを、低干渉サブフレームとしての構成に影響されない１または複数個のサブフレームであって、無線ネットワークノード１０の可能なＴＤＤ構成の全ての（または過半数の）中のダウンリンクサブフレームである１または複数個のサブフレームに排他的にマッピングする。例えば図３Ａ−３Ｂですでに示す実施形態について考慮する。ここでは、ＮＢ−ＰＳＳ１４およびＮＢ−ＳＳＳ１６がマッピングされるサブフレーム（すなわちサブフレーム４、５、および９）は、図４Ｂに係る低干渉サブフレームとしての構成から影響を受けない。さらに、当該サブフレームは図４Ａの可能なＴＤＤ構成の過半数、すなわち構成１、２、４、および５（構成０ではサブフレーム９はダウンリンクサブフレームではなく、構成３または６ではサブフレーム４がダウンリンクサブフレームではない）においてダウンリンクサブフレームである。図３Ａ−３Ｂは、無線ネットワークノード１０が、ＮＢ−ＰＳＳ１４およびＮＢ−ＳＳＳ１６のそれぞれを、ブロードキャストチャネル上でのシステム情報の送信がない１つまたは複数のサブフレームに排他的にマッピングする実施形態をさらに表す。実際、図４Ｃによれば、ＮＢ−ＰＳＳ１４およびＮＢ−ＳＳＳ１６がマッピングされるサブフレーム４、５、および９上ではシステム情報は送信されない。
【００４９】
本明細書の他の実施形態では、無線ネットワークノード１０は、ＮＢ−ＰＳＳ１４およびＮＢ−ＳＳＳ１６を、図３Ａ−３Ｂのマッピングより多い数の可能なＴＤＤ構成に適合するサブフレームにマッピングする。図５Ａ−５Ｂはこのことに関しての異なる例を示す。
【００５０】
図５Ａ−５Ｂに示すように、無線ネットワークノード１０は、ＮＢ−ＰＳＳ１４を、ＮＢ−ＰＳＳ１４が送信される各フレーム内の単一のサブフレームにのみマッピングする。実際、ＮＢ−ＰＳＳ１４を図３Ａ−３Ｂのようにサブフレーム４および５にマッピングするよりむしろ、無線ネットワークノード１０はＮＢ−ＰＳＳ１４をサブフレーム５にのみマッピングする。いくつかの実施形態では、このことは、ＮＢ−ＰＳＳ１４およびＮＢ−ＳＳＳ１６がマッピングされるサブフレーム（すなわち、サブフレーム５および９）は、図４Ｂによれば低干渉サブフレームとしての構成に影響されず、図４Ａの可能なＴＤＤ構成の過半数（すなわち、サブフレーム０が構成０ではダウンリンクサブフレームではない、構成１−６）のダウンリンクサブフレームであり、図４Ｃによればブロードキャストチャネル上のシステム情報の送信がないことを有利に意味する。
【００５１】
ＮＢ−ＰＳＳ１４を単一のサブフレームのみにマッピングするために、いくつかの実施形態における無線ネットワークノード１０は、単一のＮＢ−ＰＳＳシーケンスを含むようＮＢ−ＰＳＳ１４を生成する。無線ネットワークノード１０は、例えば、２つの基本ＮＢ−ＰＳＳシーケンスの合計からこの単一のシーケンスを生成する。例えば、無線ネットワークノード１０は、図３Ａ−３Ｂの異なるサブフレームで送信される同一の２つの基本ＮＢ−ＰＳＳシーケンス、すなわちシーケンスＮＢ−ＰＳＳ１およびＮＢ−ＰＳＳ２を生成してもよく、しかしながらそれらを、単一のサブフレームでの送信のための単一の結合されたシーケンスを形成するために、例えば
2020036325.tif 000003
として足し合わせてもよい。
【００５２】
いくつかの実施形態（不図示）においては、無線ネットワークノード１０はさらに、図５Ａ−５Ｂに示すように、ＮＢ−ＰＳＳ１４をマッピングする一方、図３Ａ−３Ｂに示すように、同期信号区間１８の１つのフレームのみで（例えば最終フレームで）ＮＢ−ＳＳＳ１６を送信する。しかしながら、他の実施形態では、無線ネットワークノード１０は同期信号区間１８の１個よりも多いフレームでＮＢ−ＳＳＳ１６を送信する。例えば、図５Ａ−５Ｂに示すように、無線ネットワークノード１０はＮＢ−ＳＳＳ１６を、ＮＢ−ＰＳＳ１４が送信される各フレームで送信してもよい。当然、他の実施形態では、無線ネットワークノード１０はより少ないフレームで（例えばＮＢ−ＰＳＳ１４が送信されるフレーム１個おきに）ＮＢ−ＳＳＳ１６を送信してもよい。
【００５３】
それにも関わらず、少なくともいくつかの実施形態において、有利には、無線ネットワークノード１０は、低いＳＮＲ環境であっても、ＮＢ−ＳＳＳ１６を検出するために必要とされるより高い密度でＮＢ−ＳＳＳ１６を送信する。ノード１０は、この高密度に起因する情報伝達容量の増加を利用してもよく、さもなければ、無線通信機器１２へ１つまたは複数のパラメータを伝達するためにＮＢ−ＳＳＳ１６を使用してもよい。これらの１つまたは複数のパラメータは、例えば、無線ネットワークノード１０からの狭帯域伝送が、広帯域伝送の帯域内、広帯域伝送のガードバンド内、または別個、のいずれかであるかを示す狭帯域デプロイタイプを含んでもよい。代替的にまたは付加的に、１つまたは複数のパラメータは、広帯域伝送の帯域内に位置する狭帯域伝送の配置を示す伝送リソースインデックス（例えば、物理リソースブロックＰＲＢ、帯域内デプロイのＮＢ−ＩｏＴ送信のインデックス）を含んでもよい。さらに他の実施形態では、１つまたは複数のパラメータは付加的または代替的に、無線ネットワークノード１０が周波数分割複信モードまたは時分割複信モードのいずれで動作しているかを示す無線ネットワークノード１０の動作モードを含む。
【００５４】
無線ネットワークノード１０はこれらの１つまたは複数のパラメータを、任意の数の方法でＮＢ−ＳＳＳ１６を介して伝達してもよい。例えば、無線ネットワークノード１０は、１つまたは複数のパラメータに基づいて、ＮＢ−ＳＳＳ１６が生成されるシーケンスを選択してもよい。このように、選択されたシーケンス、したがってＮＢ−ＳＳＳ１６は、１つまたは複数のパラメータを符号化、または暗示的に示す。以下でより十分に説明される他の実施形態では、無線ネットワークノード１０は、ＮＢ−ＳＳＳ１６が送信される方法（例えば、ＮＢ−ＳＳＳ１６が送信されるサブフレームおよび／またはフレーム）によって暗示的に１つまたは複数のパラメータを示す。
【００５５】
代替的にまたは付加的に、無線ネットワークノード１０は任意のまたは全ての上述したパラメータをＮＢ−ＰＳＳ１４を介して伝達してもよい。そのような場合、無線ネットワークノード１０は同様に、１つまたは複数のパラメータに基づいて、ＮＢ−ＰＳＳ１４が生成されるシーケンスを選択してもよい。このように、選択されたシーケンス、したがってＮＢ−ＰＳＳ１４は、１つまたは複数のパラメータを符号化、または暗示的に示す。他の実施形態では、無線ネットワークノード１０は、ＮＢ−ＰＳＳ１４が送信される方法（例えば、ＮＢ−ＰＳＳ１４が送信されるサブフレームおよび／またはフレーム）によって暗示的に１つまたは複数のパラメータを示す。
【００５６】
本明細書のさらに別の実施形態では、無線ネットワークノード１０はＮＢ−ＰＳＳ１４およびＮＢ−ＳＳＳ１６を、図３Ａ−３Ｂおよび５Ａ−５Ｂのマッピングよりさらに大きな数の可能なＴＤＤ構成に適合するサブフレームにマッピングする。図６はこのことに関しての一例を示す。
【００５７】
図６に示すように、無線ネットワークノード１０はＮＢ−ＳＳＳ１６を単一のサブフレームのみにマッピングする。しかしながら、図３Ａ−３Ｂおよび図５Ａ−５ＢのようにＮＢ−ＳＳＳ１６をサブフレーム９にマッピングするよりむしろ、無線ネットワークノード１０はＮＢ−ＳＳＳ１６をサブフレーム０にマッピングする。このことは、マッピングが図４Ａに示す可能なＴＤＤ構成の全てに適合することを意味する。実際、ＮＢ−ＰＳＳ１４およびＮＢ−ＳＳＳ１６がマッピングされるサブフレーム（すなわちサブフレーム０および５）は、７個のＴＤＤ構成全てにおいてダウンリンクサブフレームとして指定される。さらに、これらのサブフレームは、図４Ｂによれば、低干渉サブフレームとしての構成に影響を受けない。
【００５８】
いくつかの実施形態では、無線ネットワークノード１０のマッピングは可能なＴＤＤ構成により適合することを証明するが、システム情報の送信との潜在的な競合を犠牲にしている。図４Ｃに示すように、例えば、システム情報はサブフレーム０のブロードキャストチャネルで送信されうる。図６のように、ＮＢ−ＳＳＳ１６をサブフレーム０へマッピングすることで、ＮＢ−ＳＳＳ１６はシステム情報の送信と競合する。
【００５９】
様々な実施形態における無線ネットワークノード１０は、目標とするＮＢ−ＳＳＳの検出閾値を達成するために必要なできるだけ少ないフレームでＮＢ−ＳＳＳ１６を送信することで、そして１つまたは複数の、ＮＢ−ＳＳＳがない他のフレームでシステム情報を送信することで、この潜在的な競合を解決する。図６に示すように、例えば、無線ネットワークノード１０はＮＢ−ＳＳＳ１６を同期信号区間１８の最終フレーム（すなわちフレーム７）のみで送信する。上述したように、そのような低密度の送信は、低いＳＮＲ環境であっても目標とするＮＢ−ＳＳＳ検出閾値を満たしうる。そして、これによって、システム情報の送信のための同期信号区間１８の残りのフレームが開放される。例えば、システム情報はフレーム０−６のサブフレーム０内で送信され、一方ＮＢ−ＳＳＳ１６はフレーム７のサブフレーム０内で送信される。この１個のフレームからシステム情報を省略することで、例えば約０．６ｄＢだけ、システム情報（例えばＮＢ−ＰＢＣＨ）の検出性能がわずかに劣化する。
【００６０】
なお、図６は単一のサブフレーム内でＮＢ−ＰＳＳ１４を送信するための別の実施形態も示す。異なる基本ＮＢ−ＰＳＳシーケンスの組み合わせが同時に送信される図５Ａ−５Ｂに示す実施形態と対比して、これらの実施形態の無線ネットワークノード１０は異なる時間に異なるＮＢ−ＰＳＳシーケンスを（シーケンスを結合することなく）送信する。具体的には、無線ネットワークノード１０は、基本ＮＢ−ＰＳＳシーケンスの異なる個別の１個を、同期信号区間１８の異なるフレームで送信する。いくつかの実施形態では、所与のフレームにおいてただ１個の基本ＮＢ−ＰＳＳシーケンスが送信される。
【００６１】
図６は、無線ネットワークノード１０が同期信号区間１８の毎フレームで基本ＮＢ−ＰＳＳシーケンスを送信する２個の基本ＮＢ−ＰＳＳシーケンス（すなわち、ＮＢ−ＰＳＳ１およびＮＢ−ＰＳＳ２）の例を示す。この場合、無線ネットワークノード１０は、１フレームごとにＮＢ−ＰＳＳ１の送信とＮＢ−ＰＳＳ２の送信とを替える（例えば、ＮＢ−ＰＳＳ１は偶数番目のフレームで送信され、ＮＢ−ＰＳＳ２は奇数番目のフレームで送信される）。しかしながら、より一般的には、無線ネットワークノード１０は、選択フレームの１個ごとに、ＮＢ−ＰＳＳを同期信号区間１８の選択フレーム内で送信し、ノード１０は２個の基本ＮＢ−ＰＳＳシーケンスの片方の送信と、２個の基本ＮＢ−ＰＳＳシーケンスの他方の送信とを替える。少なくともいくつかの実施形態では、このアプローチは、有利には無線通信装置１２が周波数オフセットとタイミングオフセットとの両方を同時に（または並列して）推定することを可能にする。
【００６２】
いずれかの上述した実施形態は、個別にまたは組み合わせて用いられうる。単独の実施形態の一例として、無線ネットワークノード１０は、信号密度の要求に影響を与えうる条件に関わらず、同一の実施形態を適用してもよい（例えば、ＴＤＤまたはＦＤＤモードのいずれかの動作に関わらず図６の実施形態を常に適用してもよい）。組み合わせた実施形態の一例として、対照的に、無線ネットワークノード１０は、異なる条件下でおよび／または異なる時間において異なる実施形態を選択的に適用してもよい。
【００６３】
１つまたは複数の実施形態において、無線ネットワークノード１０はＴＤＤモードで動作している場合は一実施形態を適用し、周波数分割複信（ＦＤＤ）モードで動作している場合は異なる実施形態を適用する。例えば、無線ネットワークノード１０は、ＴＤＤモードで動作している場合は、（例えば、全ての可能なＴＤＤ構成への互換性を確実にするために）図６に図示する本実施形態に係るＮＢ−ＰＳＳ１４およびＮＢ−ＳＳＳ１６を送信し、ＦＤＤモードで動作している場合は、（例えば、ＴＤＤ構成の互換性が適用されないため）図３Ａ−３Ｂおよび図５Ａ−５Ｂに図示する本実施形態に係るＮＢ−ＰＳＳ１４およびＮＢ−ＳＳＳ１６を送信してもよい。このような場合、ノードのＮＢ−ＰＳＳ１４およびＮＢ−ＳＳＳ１６の送信は、ノードの動作モードがＴＤＤまたはＦＤＤのどちらであるかを符号化する、または暗示的に示す。無線通信機器１２は、例えば、ＮＢ−ＰＳＳ１４送信の間の時間間隔の評価に基づき、ノードの動作モードがＴＤＤまたはＦＤＤであるかを識別してもよい。
【００６４】
代替的にまたは付加的に、無線ネットワークノード１０は、比較的に高い同期信号密度を要求する条件下で動作する場合は１つの実施形態を適用し、比較的に低い同期信号密度しか要求しない条件下で動作する場合は異なる実施形態を適用する。そのような条件は、例えば、動的にまたは所与の時点で変化しうる無線ネットワークノードの狭帯域デプロイモードに依存しうる。例えば、別個のモードは、比較的低い同期信号密度（例えばより低い繰り返し間隔）を要求する条件をもたらしてもよく、帯域内またはガードバンド・モードは、比較的に高い同期信号密度（例えばより高い繰り返し間隔）を要求する条件をもたらしてもよい。
【００６５】
すなわち、いくつかの実施形態では、無線ネットワークノード１０は、帯域内またはガードバンド・モードで動作している場合は図３Ａ、５Ａ、または６に図示する本実施形態に係るＮＢ−ＰＳＳ１４およびＮＢ−ＳＳＳ１６を送信するが、スタンドアロンモードで動作している場合は図３Ｂまたは５Ｂに図示する本実施形態に係るＮＢ−ＰＳＳ１４およびＮＢ−ＳＳＳ１６を送信する。代替的に、無線ネットワークノード１０は、帯域内またはガードバンド・モードで動作している場合は図３Ｂまたは図５Ｂに図示する本実施形態に係るＮＢ−ＰＳＳ１４およびＮＢ−ＳＳＳ１６を送信するが、スタンドアロンモードで動作している場合は、不図示の別の実施形態に従ってＮＢ−ＰＳＳ１４およびＮＢ−ＳＳＳ１６を送信する。そのような不図示の実施形態は、例えば、ＮＢ−ＰＳＳ１４および／またはＮＢ−ＳＳＳ１６が図示するフレームおよび／またはサブフレームのサブセット（例えば、ＮＢ−ＳＳＳ１６がフレーム１、３、５、および７ではなく、１および５でのみ送信される）でのみ送信される、図３Ｂまたは図５Ｂの変更されたバージョンを含みうる。
【００６６】
したがって、これらの実施形態におけるノードのＮＢ−ＰＳＳ１４およびＮＢ−ＳＳＳ１６の送信は、ノードのデプロイモードがスタンドアロン、帯域内、またはガードバンドのいずれであるかを符号化または暗示的に示す。無線通信装置１２は、例えば、ＮＢ−ＰＳＳ送信間の時間間隔の評価に基づいて、ノードのデプロイモードがスタンドアロン、帯域内、またはガードバンドのいずれであるかを識別しうる。
【００６７】
当業者は、ＮＢ−ＰＳＳ１４およびＮＢ−ＳＳＳ１６は、いくつかの方法のうちの任意の方法で、所与のサブフレーム内の送信リソースに、より具体的にマッピングしてもよいことを理解するであろう。図７Ａから８７Ｄは、広帯域ＬＴＥ伝送の帯域内で狭帯域同期信号１４、１６が送信される状況におけるいくつかの例を示す。本例におけるサブフレーム２２は、複数の直交周波数分割多重（ＯＦＤＭ）シンボル２４を含む。
【００６８】
図７Ａ−７Ｂはサブフレーム２２が１４個のＯＦＤＭシンボル２４を含むことを示す。これは、例えば同期信号１４および１６が通常の長さのサイクリックプレフィックス（ＣＰ）で送信される場合である。図７Ａに示すように、ＮＢ−ＰＳＳ１４はサブフレームのＯＦＤＭシンボルの最後の１１個で送信されてもよい。残りのＯＦＤＭシンボル２４は、同期信号１４および１６には用いられず、代わりに広帯域制御情報（例えばＬＴＥ  ＰＤＣＣＨ）の送信のために空けられている。図７Ｂは、ＮＢ−ＳＳＳ１６がサブフレームのＯＦＤＭシンボルの最後の９個で送信されてもよいことを示す。再び、残りのＯＦＤＭシンボル２４は用いられず、代わりに広帯域制御情報を含む他の送信のために空けられている。それにも関わらず、ＮＢ−ＰＳＳ１４およびＮＢ−ＳＳＳ１６は各同期信号区間１８において、固定数のＯＦＤＭシンボルを占有する。
【００６９】
図７Ｃ−７Ｃはさらに、複数のリソースエレメントを含む、いわゆるリソースブロックを示す。各リソースエレメントは１個のＯＦＤＭシンボルと、１個の（例えば１５ｋＨｚの）周波数サブキャリアとの組み合わせによって構成される時間−周波数リソースである。図示するように、ＮＢ−ＰＳＳ１４およびＮＢ−ＳＳＳ１６は、特定のリソースエレメントで、広帯域セル固有参照信号（ＣＲＳ）２６（例えばＬＴＥ  ＣＲＳ）によってパンクチャされる。広帯域ＣＲＳ２６もまた、ＬＴＥ  ＰＤＣＣＨのような広帯域物理ダウンリンク制御チャネル（ＷＢ−ＰＤＣＣＨ）２８上の広帯域制御情報の送信をパンクチャする。ＣＲＳおよびＰＤＣＣＨ送信との競合を避けるために、このようにＮＢ−ＰＳＳ１４およびＮＢ−ＳＳＳ１６を送信することは、有利には関連付けられた広帯域送信（例えば広帯域ＬＴＥ）との後方互換性を提供する。
【００７０】
しかしながら、図示されない他の実施形態において、ＮＢ−ＰＳＳ１４およびＮＢ−ＳＳＳ１６は、所与のサブフレーム２２内で異なる数のシンボルを占有してもよい。いくつかの通常のサイクリックプレフィックスの実施形態においては、例えば、ＮＢ−ＰＳＳ１４は各サブフレーム２２の１１個または９個のシンボルにわたり、ＮＢ−ＳＳＳ１６は各サブフレーム２２の６個から１１個のシンボルにわたる。
【００７１】
本明細書のさらに他の実施形態は、通常のＣＰより長さが長い拡張サイクリックプレフィックス（ＣＰ）をサポートする。通常ＣＰでは、各サブフレームは１４個のＯＦＤＭシンボルを含み、拡張ＣＰでは各サブフレームは１２個のＯＦＤＭシンボルのみを含む。いくつかの拡張サイクリックプレフィックスの実施形態では、ＮＢ−ＰＳＳ１４は各サブフレーム２２の９個のシンボルにわたり、ＮＢ−ＳＳＳ１６は各サブフレーム２２の６個から９個のシンボルにわたる。
【００７２】
無線ネットワークノード１０は、異なる長さの基本シーケンスを用いてＮＢ−ＰＳＳ１４を生成することで、通常およびいくつかの実施形態における拡張ＣＰの両方へのサポートを実現する。例えば、無線ネットワークノード１０は、通常ＣＰで送信する場合は、長さ１４１の１つまたは複数の基本シーケンスを用いてＮＢ−ＰＳＳ１４を生成してもよく、拡張ＣＰで送信する場合は、長さ１３３の１つまたは複数の基本シーケンスを用いてＮＢ−ＰＳＳ１４を生成してもよい。しかしながら、その長さに関わらず、無線ネットワークノード１０は、ＮＢ−ＰＳＳ１４にわたる９個のＯＦＤＭシンボルにマッピングするために必要な数のシンボル（例えば１３２）を達成するためにシーケンス内の特定のシンボルをパンクチャしてもよい。
【００７３】
他の実施形態では、無線ネットワークノード１０は異なる通常および拡張ＣＰに対して、異なるパンクチャパターンを用いることで、通常および拡張ＣＰの両方へのサポートを実現する。特に、いくつかの実施形態における無線ネットワークノード１０は、ＮＢ−ＰＳＳおよびＮＢ−ＳＳＳを送信するサイクリックプレフィックス長を選択する。ノード１０は次に異なる選択した長さに対して異なる方法でＮＢ−ＰＳＳ１４を生成する。ノード１０は、選択されたＣＰ長に関係なく、同一の１つまたは複数の基本ＮＢ−ＰＳＳシーケンスを用い、しかし異なる選択されたＣＰ長に対して異なるパンクチャパターンを用いてそのようにする。例えば、通常ＣＰのためのＮＢ−ＰＳＳを生成するために、無線ネットワークノード１０は、１１個のＯＦＤＭシンボルにわたるＮＢ−ＰＳＳを作るために、長さ１４１の基本シーケンスから、特定のパターンのシンボル、すなわち、１３番目、２６番目、５１番目、６４番目、７７番目、９０番目、１０３番目、１１６番目、および１４１番目のシンボルを、パンクチャまたは除去してもよい。しかしながら拡張ＣＰのためにＮＢ−ＰＳＳを生成するために、無線ネットワークノード１０は、９個のＯＦＤＭシンボルにわたるＮＢ−ＰＳＳを作るために、長さ１４１の基本シーケンスから、別のパターンのシンボル、すなわち、１３番目、１４番目、１５番目、２８番目、２９番目、３０番目、４３番目、４４番目、４５番目、５８番目、５９番目、６０番目、７３番目、７４番目、７５番目、８８番目、８９番目、９０番目、１０３番目、１０４番目、１０５番目、１１８番目、１１９番目、および１２０番目、ならびに１３３番目から１４１番目までのシンボルを、パンクチャまたは除去してもよい。なお、拡張ＣＰのサポートは、十分な性能を達成するために、２倍のＮＢ−ＰＳＳの相関の数を２倍に増やす必要がある。
【００７４】
通常および拡張ＣＰの両方において、ＮＢ−ＳＳＳは各専有されたサブフレームにおいて９個のＯＦＤＭシンボルのみを占有するため、拡張サイクリックプレフィックスへのサポートを有効にするために変更は必要とされない。したがって、無線ネットワークノード１０はいくつかの実施形態において、異なる選択されたＣＰ長に対して、同様にＮＢ−ＳＳＳを生成する。
【００７５】
図８は、１つまたは複数の実施形態に係る、同期信号生成の付加的な詳細を示す図である。図示するように、長さＬの基本ＮＢ−ＰＳＳシーケンスは、Ｚａｄｏｆｆ  Ｃｈｕシーケンスの形式で、シーケンス取得モジュールまたは回路３０によって取得される。シンボル除去モジュールまたは回路３２は、パンクチャ済みのＺａｄｏｆｆ−Ｃｈｕ（ＺＣ）シーケンスｄuを取得するために、シーケンスから特定のパターンのシンボルまたはエレメントを除去する。例えば、Ｌ＝ＮPSS＝１４１について、エレメントのＯＦＤＭシンボルにわたるＮＢ−ＰＳＳを作るために、１３番目、２６番目、５１番目、６４番目、７７番目、９０番目、１０３番目、１１６番目、および１４１番目のシンボルが除去されてもよい。サブシーケンス生成モジュールまたは回路３４は次にパンクチャ済のＺＣシーケンスｄuを、ｄu,1、ｄu,2、...ｄu,mと示すように、ｍ個のサブシーケンスへと分割する。シーケンスの長さがｍで分割することができない場合、割り切れるようにゼロで詰めて（パディングして）もよい。次に、離散フーリエ変換（ＤＦＴ）３６は、サブシーケンスの周波数ドメインの表現ｒu,1、ｒu,2、...ｒu,mを生成するために、これらのｍ個のサブシーケンスのそれぞれに使用される。これらの周波数ドメインの表現は、サブシーケンスのレート変換されたバージョンｔu,1、ｔu,2、...ｔu,mを提供するために、逆高速フーリエ変換モジュールまたは回路３８に入力される、すなわち、レート変換されたバージョンはＤＦＴおよびＩＦＦＴによって異なるサンプリングレート（１．９２ｋＨｚ）である。最後に、サイクリックプレフィックス（ＣＰ）モジュールまたは回路４０は、ＣＰを付加し、同期信号ＮＢ−ＰＳＳを生成するために使用される。
【００７６】
当然ながら、いくつかの実施形態では、ＮＢ−ＰＳＳは２個のＺａｄｏｆｆ−Ｃｈｕ（ＺＣ）シーケンスＮＢ−ＰＳＳ１およびＮＢ−ＰＳＳ２を含みうる。ＮＢ−ＰＳＳ１は、ルートインデックス１の長さＮPSSのＺＣシーケンスに基づいて生成され、ＮＢ−ＰＳＳ２はＮＢ−ＰＳＳ１の複素共役に基づく。
2020036325.tif 000004
ＮＢ−ＳＳＳのデザインも２個のＺａｄｏｆｆ−Ｃｈｕ（ＺＣ）シーケンスＮＢ−ＳＳＳ１およびＮＢ−ＳＳＳ２を含んでもよく、例えば、いずれの図にも示していない実施形態において、ＮＢ−ＳＳＳは１個ではなく２個のサブフレームで送信される。この場合におけるＮＢ−ＳＳＳ１およびＮＢ−ＳＳＳ２は、それぞれルートインデックスｕ1およびｕ2の長さＮSSSのＺＣシーケンスに基づいて生成される。
2020036325.tif 000005
長さＮSSSは、ＮSSS−１個までの異なるシーケンスに対するサポートを可能にするために、長さは素数（例えば１０７）となるように選ばれる。２個のＩＤ（ｕ1、ｕ2）の組み合わせは、物理セルＩＤと、同期信号区間（例えば８０ｍｓブロック）内のタイミングとを符号化するのに十分である。
【００７７】
代替的には、他の実施形態において、ＮＢ−ＳＳＳは、ＮＢ−ＳＳＳ１またはＮＢ−ＳＳＳ２と同様のやり方で生成される単一のＺＣシーケンスを含んでもよい。
【００７８】
ＮＢ−ＳＳＳが送信されるフレームの位置によって、同期信号区間（例えば８０ｍｓブロック）内の正しいタイミングを提供するために、スクランブルコードが適用されてもよい。
【００７９】
５０４個の異なる物理セルＩＤへのサポートを可能にするために、ＬＴＥに関する実施形態において、無線ネットワークノード１０は、異なるＺａｄｏｆｆ−Ｃｈｕシーケンスのルートおよび巡回シフトの組み合わせを用いてもよい。
【００８０】
上述した変更および変形に鑑みて、当業者は、本明細書の実施形態が、無線ネットワークノード１０によって送信されるＮＢ−ＰＳＳ１４およびＮＢ−ＳＳＳ１６を受信する無線通信機器１２において実行される対応する処理を含むことを理解するであろう。図９は、このことに関して、無線通信機器１２によって実行される処理２００を示す。
【００８１】
図示するように、ネットワークノード１２の処理２００は、このマッピングに係る同期信号区間１８内でＮＢ−ＰＳＳ１４およびＮＢ−ＳＳＳ１６を送信することをさらに含む（ブロック２１０）。これは、例えば、ＮＢ−ＰＳＳが受信されるフレーム１個おきに、ＮＢ−ＳＳＳを受信することを含んでもよい。処理２００はさらに、ＮＢ−ＰＳＳ１４が受信される各フレーム２０内の同一の１つまたは複数のサブフレーム２２からＮＢ−ＰＳＳ１４をデマッピングすることを含む（ブロック２２０）。処理２００、また、無線ネットワークノード１０の処理は、ＮＢ−ＳＳＳ１６が受信される各フレーム２０内の同一の１つまたは複数のサブフレーム２２から、ＮＢ−ＳＳＳ１６をデマッピングすることを伴う（ブロック２３０）。これは、ＮＢ−ＰＳＳ１４が受信される少なくとも１個のフレームを含む。機器１２はこれを、ＮＢ−ＰＳＳ１４がデマッピングされる１つまたは複数のサブフレーム２２とは異なる１つまたは複数のサブフレーム２２からＮＢ−ＳＳＳ１６をデマッピングすることによって行う。機器１２は、例えば、図３−８の何れかに従い送信されるＮＢ−ＰＳＳ１４およびＮＢ−ＳＳＳ１６を回復させるために必要とされる受信処理を使用してもよい。少なくともいくつかの実施形態において、機器１２は、受信したＮＢ−ＰＳＳ１４およびＮＢ−ＳＳＳ１６に基づいて、無線ネットワークノード１０から提供されるセルのフレームおよびシンボルタイミングも取得する。
【００８２】
少なくともいくつかの実施形態において、無線ネットワークノード１０および無線通信機器１２は狭帯域インターネット・オブ・シングス（ＮＢ−ＩｏＴ）の仕様にしたがって動作する。このことに関して、本明細書に記載される実施形態は、相互交換可能に無線端末またはＵＥと呼ばれる無線通信機器と、無線通信チャネルを介して、特性の無線アクセス技術を用いて通信するＲＡＮで動作する、または関連付けられるコンテキストで説明される。より具体的には、実施形態は、時にＥｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋと称され、ＬＴＥシステムとして広く知られるＥ−ＵＴＲＡＮによって現在用いられるスペクトラムにおけるおよび／または装置を用いるＮＢ−ＩｏＴ動作のための仕様の開発に特に関する、ＮＢ−ＩｏＴのための仕様開発のコンテキストで記載される。しかしながら、当該技術は、Ｅ−ＵＴＲＡＮの後継と同様に、他の無線ネットワークへ適用されてもよいことは理解されたい。したがって、ＬＴＥのための３ＧＰＰ規格からの用語を用いる本明細書における信号への参照は、他のネットワークにおける同様の特性および／または目的を有する信号に対して、より一般的に、適用されるべきであることを理解されたい。
【００８３】
本明細書における無線ネットワークノード１０は、無線信号を介して他のネットワークと通信可能な任意のタイプのネットワークノード（例えば基地局）である。無線通信機器１２は、無線信号を介して無線ネットワークノード１０と通信可能な任意のタイプの機器である。無線通信機器１２は、それゆえ、マシンツーマシン（Ｍ２Ｍ）機器、マシンタイプ通信（ＭＴＣ）機器、ＮＢ−ＩｏＴ機器、等を参照してもよい。無線機器はまた、ＵＥであってもよいが、ＵＥは、機器を所有および／または操作する個人という意味での「ユーザ」を必ずしも持たないことには注意されたい。無線機器（ワイヤレスデバイス）は、無線機器（ラジオデバイス）、無線通信機器、無線端末、または単純に端末を指し、コンテキストがそれ以外を示さない限り、これらの用語の任意の使用は、デバイスツーデバイスＵＥもしくは機器、マシンタイプデバイスもしくはマシンツーマシン通信が可能な機器、無線機器を備えたセンサ、無線対応テーブルコンピュータ、携帯端末、スマートフォン、ラップトップ内蔵装置（ＬＥＥ）、ラップトップ搭載装置（ＬＭＥ）、ＵＳＥドングル、無線顧客宅内装置等を含むことを意図する。本明細書の説明では、マシンツーマシン（Ｍ２Ｍ）デバイス、機械タイプ通信（ＭＴＣ）デバイス、ワイヤレスセンサ、およびセンサという用語も使用され得る。これらの機器はＵＥであってもよいが、一般的に人間の直接的な相互作用なしにデータを送信および／または受信するよう構成されることは理解されたい。
【００８４】
ＩｏＴのシナリオにおいて、本明細書に記載される無線通信機器は、モニタリングまたは測定を実行し、そのようなモニタリング測定の結果を別の機器またはネットワークへ送信するマシンまたは機器であってもよい、またはマシンまたは機器に含まれうる。そのようなマシンの特定の例は、パワーメータ、工業機械、または冷蔵庫、テレビ、腕時計といった個人向けウェアラブルなどの家庭用もしくは個人用の電化製品である。他のシナリオでは、本明細書に記載される無線通信機器は、車両に含まれてもよく、車両の動作状況もしくは車両に関連付けられた他の機能のモニタリングおよび／または報告を行ってもよい。
【００８５】
上述した無線ネットワークノード１０は、本明細書の処理を、任意の機能的手段またはユニットを実装することによって実行してもよいことは留意されたい。例えば、一実施形態では、無線ネットワークノード１０は、図２に示すステップを実行するよう構成される個別の回路を備える。このことに関して、当該回路は、特定の機能的処理を実行する専用回路および／またはメモリと協働する１つまたは複数のマイクロプロセッサを含んでもよい。読み出し専用メモリ（ＲＯＭ）、ランダムアクセスメモリ、キャッシュメモリ、フラッシュメモリデバイス、光学記録デバイスなど、１またはいくつかのタイプのメモリを含んでもよい、メモリを使用する実施形態において、メモリは、１つまたは複数のマイクロプロセッサによって実行される場合に、本明細書で説明した技術を実行するプログラムコードを格納する。すなわち、いくつかの実施形態において、無線ネットワークノード１０のメモリは、処理回路によって実行可能な命令を含み、無線ネットワークノード１０は、本明細書における処理を実行するように構成される。
【００８６】
図１０は、１つまたは複数の実施形態に係る、無線ネットワークノード１０の付加的な詳細を示す。図示するように、無線ネットワークノード１０は１つまたは複数の処理回路６２０および１つまたは複数の無線回路６１０を含む。１つまたは複数の無線回路６１０は１つまたは複数のアンテナ６４０を介して送信するよう構成される。１つまたは複数の処理回路６２０は、メモリ６３０に格納した命令を実行することによって、例えば図２において上述した処理を実行するよう構成される。このことに関して、１つまたは複数の処理回路６２０は特定の機能的手段またはユニットを実装してもよい。
【００８７】
このことに関して、図１１は、１つまたは複数の実施形態に係る、無線ネットワークノード１０を示す。図示するように、無線ネットワークノード１０は、上述したようにＮＢ−ＰＳＳ１４およびＮＢ−ＳＳＳ１６をマッピングするためのマッピングモジュールまたはユニット６５０と、ＮＢ−ＰＳＳ１４およびＮＢ−ＳＳＳ１６を、例えば１つまたは複数の無線回路６１０を介して送信するための送信モジュールまたはユニット６６０を含んでもよい。これらのモジュールまたはユニットは、図１０の処理回路６２０によって実装されてもよい。
【００８８】
また、無線通信機器１２は、本明細書の処理を、任意の機能的手段またはユニットを実装することによって実行してもよい。例えば、一実施形態では、無線通信機器１２は、図９に示すステップを実行するよう構成される個別の回路を備える。このことに関して、当該回路は、特定の機能的処理を実行する専用回路および／またはメモリと協働する１つまたは複数のマイクロプロセッサを含んでもよい。読み出し専用メモリ（ＲＯＭ）、ランダムアクセスメモリ、キャッシュメモリ、フラッシュメモリデバイス、光学記録デバイスなど、１またはいくつかのタイプのメモリを含んでもよい、メモリを使用する実施形態において、メモリは、１つまたは複数のマイクロプロセッサによって実行される場合に、本明細書で説明した技術を実行するプログラムコードを格納する。すなわち、いくつかの実施形態において、装置１２のメモリは、処理回路によって実行可能な命令を含み、装置１２は、本明細書における処理を実行するように構成される。
【００８９】
図１２は、１つまたは複数の実施形態に係る、無線通信装置１２の付加的な詳細を示す。図示するように、無線通信装置１２は１つまたは複数の処理回路７２０および１つまたは複数の無線回路７１０を含む。１つまたは複数の無線回路７１０は１つまたは複数のアンテナ７４０を介して送信するよう構成される。１つまたは複数の処理回路７２０は、メモリ７３０に格納した命令を実行することによって、例えば図９において上述した処理を実行するよう構成される。このことに関して、１つまたは複数の処理回路７２０は所定の機能的手段またはユニットを実装してもよい。
【００９０】
このことに関して、図１３は、１つまたは複数の他の実施形態に係る、無線通信装置１２の付加的な詳細を示す。図示するように、装置１２は、ＮＢ−ＰＳＳ１４およびＮＢ−ＳＳＳ１６を、例えば１つまたは複数の無線回路７１０を介して受信するための受信モジュールまたはユニット７５０と、上述したようにＮＢ−ＰＳＳ１４およびＮＢ−ＳＳＳ１６をデマッピングするためのデマッピングモジュールまたはユニット７６０を含んでもよい。これらのユニットまたはモジュールは、図１２の１つまたは複数の処理回路７２０によって実装されてもよい。
【００９１】
当業者は、本明細書の実施形態は、対応するコンピュータプログラムを含むことを理解されるであろう。
【００９２】
コンピュータプログラムは、ノードの少なくとも１個のプロセッサに実行されると、上述した個別の処理の何れかをノードに実行させる命令を含む。このことに関して、コンピュータプログラムは、上述した手段またはユニットに対応する１つまたは複数のコードモジュールを含んでもよい。
【００９３】
実施形態はさらにそのようなコンピュータプログラムを格納するキャリアを含む。このキャリアは電気信号、光信号、無線信号、またはコンピュータ可読記憶媒体のいずれかを含んでもよい。
【００９４】
当業者は、本発明を、本発明の本質的な特徴から逸脱することなく、本明細書に具体的に記載されたもの以外の方法で実施され得ることを理解されるだろう。したがって、本実施形態は、すべての点で例示的であって限定的ではないものと見なされるべきであり、添付の特許請求の目的及び均等な範囲内の入るすべての変更は、その中に包含されることが意図される。
【図１】
2020036325.tif 000006
【図２】
2020036325.tif 000007
【図３Ａ】
2020036325.tif 000008
【図３Ｂ】
2020036325.tif 000009
【図４Ａ】
2020036325.tif 000010
【図４Ｂ】
2020036325.tif 000011
【図４Ｃ】
2020036325.tif 000012
【図５Ａ】
2020036325.tif 000013
【図５Ｂ】
2020036325.tif 000014
【図６】
2020036325.tif 000015
【図７Ａ】
2020036325.tif 000016
【図７Ｂ】
2020036325.tif 000017
【図７Ｃ】
2020036325.tif 000018
【図７Ｄ】
2020036325.tif 000019
【図８】
2020036325.tif 000020
【図９】
2020036325.tif 000021
【図１０】
2020036325.tif 000022
【図１１】
2020036325.tif 000023
【図１２】
2020036325.tif 000024
【図１３】
2020036325.tif 000025
【手続補正書】
【提出日】令和1年10月31日(2019.10.31)
【手続補正１】
【補正対象書類名】特許請求の範囲
【補正対象項目名】全文
【補正方法】変更
【補正の内容】
【特許請求の範囲】
【請求項１】
狭帯域プライマリ同期信号（ＮＢ−ＰＳＳ）と、狭帯域セカンダリ同期信号（ＮＢ−ＳＳＳ）とを、複数フレームを含む同期信号区間内で送信するための無線ネットワークノード（１０）によって実施される方法であって、
前記ＮＢ−ＰＳＳおよび前記ＮＢ−ＳＳＳを前記同期信号区間内で送信すること（１３０）
を含み、前記ＮＢ−ＰＳＳが送信されるフレーム１個おきに前記ＮＢ−ＳＳＳが送信される、方法。
【請求項２】
前記同期信号区間の毎フレームで前記ＮＢ−ＰＳＳを送信することを含む、請求項１に記載の方法。
【請求項３】
前記ＮＢ−ＰＳＳおよび前記ＮＢ−ＳＳＳが異なるサブフレームで送信される、請求項１または２に記載の方法。
【請求項４】
前記ＮＢ−ＳＳＳは、前記ＮＢ−ＳＳＳが送信される各フレーム内の、単一のサブフレームにのみマッピングされる、請求項１乃至３の何れか１項に記載の方法。
【請求項５】
前記ＮＢ−ＳＳＳは、前記ＮＢ−ＳＳＳが送信される各フレーム内の、サブフレーム９にマッピングされる、請求項１乃至４の何れか１項に記載の方法。
【請求項６】
前記ＮＢ−ＰＳＳは、前記ＮＢ−ＰＳＳが送信される各フレーム内の、サブフレーム５にマッピングされる、請求項１乃至５の何れか１項に記載の方法。
【請求項７】
複数のフレームを含む同期信号区間内で、狭帯域プライマリ同期信号（ＮＢ−ＰＳＳ）と、狭帯域セカンダリ同期信号（ＮＢ−ＳＳＳ）とを受信するための無線通信機器（１２）によって実施される方法であって、
前記同期信号区間内の前記ＮＢ−ＰＳＳおよび前記ＮＢ−ＳＳＳを受信すること（２１０）
を含み、前記ＮＢ−ＰＳＳが受信されるフレーム１個おきに前記ＮＢ−ＳＳＳが受信される、方法。
【請求項８】
前記同期信号区間の毎フレームで前記ＮＢ−ＰＳＳを受信することを含む、請求項７に記載の方法。
【請求項９】
前記ＮＢ−ＰＳＳおよび前記ＮＢ−ＳＳＳが異なるサブフレームで受信される、請求項７または８に記載の方法。
【請求項１０】
前記ＮＢ−ＳＳＳは、前記ＮＢ−ＳＳＳが受信される各フレーム内の、単一のサブフレームにのみマッピングされる、請求項７乃至９の何れか１項に記載の方法。
【請求項１１】
前記ＮＢ−ＳＳＳは、前記ＮＢ−ＳＳＳが受信される各フレーム内の、サブフレーム９にマッピングされる、請求項７乃至１０の何れか１項に記載の方法。
【請求項１２】
前記ＮＢ−ＰＳＳは、前記ＮＢ−ＰＳＳが受信される各フレーム内の、サブフレーム５にマッピングされる、請求項７乃至１１の何れか１項に記載の方法。
【請求項１３】
狭帯域プライマリ同期信号（ＮＢ−ＰＳＳ）と、狭帯域セカンダリ同期信号（ＮＢ−ＳＳＳ）とを、複数フレームを含む同期信号区間内で送信するための無線ネットワークノード（１０）であって、
前記同期信号区間内で前記ＮＢ−ＰＳＳおよび前記ＮＢ−ＳＳＳを送信する、
よう構成され、前記ＮＢ−ＰＳＳが送信されるフレーム１個おきに前記ＮＢ−ＳＳＳが送信される、無線ネットワークノード（１０）。
【請求項１４】
請求項２乃至６の何れか１項に記載の方法を実行するよう構成される、請求項１３に記載の無線ネットワークノード（１０）。
【請求項１５】
狭帯域プライマリ同期信号（ＮＢ−ＰＳＳ）と、狭帯域セカンダリ同期信号（ＮＢ−ＳＳＳ）とを、複数フレームを含む同期信号区間内で受信するための無線通信機器（１２）であって、
前記同期信号区間内の前記ＮＢ−ＰＳＳおよび前記ＮＢ−ＳＳＳを受信する、
よう構成され、前記ＮＢ−ＰＳＳが受信されるフレーム１個おきに前記ＮＢ−ＳＳＳが受信される、無線通信機器（１２）。
【請求項１６】
請求項８乃至１２の何れか１項に記載の方法を実行するよう構成される請求項１５に記載の無線通信機器（１２）。
【外国語明細書】
2020036325000001.pdf